(57)【要約】【課題】１台の筐体に複数のブレードサーバを搭載しバックプレーンにて接続されるブレードシステムにおいて、ブレードサーバの稼働状態に関わらずブレードサーバを筐体から引き抜くことが出来るため、稼働中のブレードサーバを間違って引き抜きシステムダウンなどシステム全体の稼働に影響を及ぼす恐れがある。【解決手段】ブレードサーバの電源投入状態に応じてブレードサーバを筐体にロックするまたはロックを解除する制御を行うロック機構を備え、電源投入中のブレードサーバを間違って筐体から引き抜くことが出来ないようにすることでシステムダウンなどシステム全体の稼働に影響を及ぼす恐れを回避することが出来る。さらにブレードサーバの電源が切断されると自動的にロックが解除されるようにすることでブレードサーバのロック解除の誤操作を防止することが出来る。【選択図】図１
2009169876.tif 000002
【特許請求の範囲】
【請求項１】
１台の筐体に複数のブレードサーバを搭載しバックプレーンにて接続されるブレードシステムにおいて、ブレードサーバの電源投入状態を監視し、電源投入状態に応じてブレードサーバを筐体にロックする、またはロックを解除する制御を行うロック機構を備えたことを特徴とするブレードシステム。
【請求項２】
前記ブレードシステムにおいて、ブレードサーバの電源投入状態に関わらずロックを解除する強制解除機構を備えた請求項１記載のブレードシステム。
【発明の詳細な説明】
【技術分野】
【０００１】
本発明は、ブレードシステムに関し、特にブレードサーバの実装技術に関する。
【背景技術】
【０００２】
従来のブレードシステムではシステム稼働中でもブレードサーバの増設や交換が出来るようにブレードサーバを搭載または引き抜くためのレバーが取り付けられているが、ブレードサーバの稼働状態に関わらずレバーを操作するだけでブレードサーバを筐体から引き抜くことが可能であり、間違って稼働中のブレードサーバを引き抜くことでシステムダウンなどシステム全体の稼働状態に影響を及ぼす恐れがある。前述した課題を解決する手段として特許文献１に記載された技術が知られている。特許文献１に記載された従来技術は、ブレードを筐体に搭載することで自動的にロックされ、ブレードに障害が発生した場合または管理端末からロック解除の設定をした時にロックが解除される。
【０００３】
【特許文献１】特開2005-340509号公報
【発明の開示】
【発明が解決しようとする課題】
【０００４】
従来のブレードシステムではブレードサーバの稼動状態に関わらずブレードサーバを筐体から引き抜くことが可能であり、ブレードサーバに障害が発生した場合にブレードサーバの交換作業で間違って稼動中のブレードサーバを引き抜くことで、システムダウンなどシステム全体の稼動状態に影響を及ぼす恐れがある。また、特許文献１に記載の従来技術では、ブレードサーバへのメモリ増設などによる障害が発生していないブレードサーバを筐体から抜く時に人手でロックを解除する必要があり操作ミスにより筐体から抜きたいブレードサーバを抜けなかったり、別のブレードサーバのロックを解除してしまい設定をし直す手間がかかる問題がある。
【課題を解決するための手段】
【０００５】
上記課題を解決するために、本発明では１台の筐体に複数のブレードサーバを搭載するブレードシステムにおいて、ロック機構とブレードサーバの電源状態を監視する電源状態監視部とロック金具とロック金具を制御するロック制御部とを備え、ブレードサーバの電源投入状態を監視し、ブレードサーバに電源が投入されている時はブレードサーバを筐体にロックし、ブレードサーバを引き抜けないようにすることで電源投入中のブレードサーバを間違って筐体から引き抜くことが出来ないようにしシステムダウンなどシステム全体の稼働に影響を及ぼす恐れを回避することが出来、さらにブレードサーバの電源が切断されると自動的にロックが解除されるようにすることで、ブレードサーバのロック解除の誤操作を防止し、ブレードサーバへのメモリ増設などによる障害が発生していないブレードサーバの引き抜きを容易にすることが出来る。さらにブレードサーバがハングアップし電源を切断できない状態を想定し、強制解除スイッチを備え、ブレードサーバが電源を切断できない状態に陥ってもブレードサーバを筐体から引き抜くことが出来る。
【発明の効果】
【０００６】
本発明によれば、稼動中のブレードサーバを間違って筐体から引き抜くことでシステムダウンなどシステム全体に影響を及ぼす恐れを回避することが出来る。さらに障害が発生していないブレードサーバを引き抜く場合のロック解除の誤操作を防止することが出来る。
【発明を実施するための最良の形態】
【０００７】
以下、本発明の実施形態を添付図面を用いて説明する。
【０００８】
図１は、本発明によるブレードシステムの一実施例を示す構成図である。図１では筐体１にブレードサーバ２が１台搭載された構成を例にする。筐体１は複数のブレードサーバ２を搭載することが出来、またバックプレーン３を搭載している。ブレードサーバ２とバックプレーン３は筐体１に搭載され、ブレードサーバ２はバックプレーン３に接続されている。ロック機構４は電源状態監視部５とロック制御部６を備える。電源状態監視部６はブレードサーバ２のパワーグッド信号８を監視し、パワーグッド信号８の状態をロック制御部６に送信する。ロック制御部６は電源状態監視部５から送信されるパワーグッド信号８の状態に応じてロック金具７を制御する。ロック金具７はブレードサーバが筐体１から引き抜かれないようにブレードサーバ２をロックまたは解除を行う。パワーグッド信号８はブレードサーバ２の電源投入状態を示す信号である。次にブレードサーバ２を筐体１にロックする、またはロックを解除する動作を説明する。
【０００９】
まずブレードサーバ２を筐体１にロックする動作を説明する。ブレードサーバ２の電源が投入されると、ブレードサーバ２はパワーグッド信号８をアサートする。電源状態監視部６はブレードサーバ２のパワーグッド信号８を監視しており、パワーグッド信号８がアサートされるとパワーグッド信号８がアサートされたことをロック制御部６に送信する。パワーグッド信号８がアサートされたことを受信したロック制御部６はロック金具７を、ブレードサーバ２を筐体１から引き抜こうとした時にブレードサーバ２が引っかかる位置に移動させる。これによりブレードサーバ２の電源投入中はロック金具８が引っかかることでブレードサーバ２を筐体から引き抜けないようにすることが出来る。次にロックを解除する動作を説明する。ブレードサーバ２の電源が切断されると、パワーグッド信号８がディアサートされる。電源状態監視部５はブレードサーバ２のパワーグッド信号８がディアサートされたことをロック制御部６に送信する。パワーグッド信号８がディアサートされたことを受信したロック制御部５はロック金具７を、ブレードサーバ２を筐体１から引き抜こうとした時にブレードサーバ２が引っかからない位置に移動させる。これによりブレードサーバ２の電源を切断することでロックが解除されブレードサーバ２を筐体１から引き抜くことが出来る。本実施例ではパワーグッド信号８を用いてブレードサーバ２の電源状態を監視したが、ブレードサーバ２に供給される電圧を監視するなど他の信号を用いても実現可能である。
【００１０】
図２は請求項２に記載の一実施例を示した構成図である。図１に示した構成図にさらに強制解除スイッチ９を備える。強制解除スイッチ９はブレードサーバ２の電源状態に関わらずロックを解除するためのスイッチである。ロック制御部６は強制解除スイッチ９が押されている間は電源状態監視部５から送信されるパワーグッド信号８の状態に関わらずロック金具７を、ブレードサーバ２を筐体１から引き抜こうとした時に引っかからない位置に移動させる。これにより強制解除スイッチ９を押しつづけることでブレードサーバ２の電源状態に関わらずブレードサーバ２を筐体１から引き抜くことが出来る。
【産業上の利用可能性】
【００１１】
本発明は１台の筐体に複数のブレードサーバを搭載するブレードシステムに利用出来る。
【図面の簡単な説明】
【００１２】
【図１】本発明の請求項１記載の一実施例を示す構成図。
【図２】本発明の請求項２記載の一実施例を示す構成図。
【符号の説明】
【００１３】
１…筐体、２…ブレードサーバ、３…バックプレーン、４…ロック機構、５…電源状態監視部、６…ロック制御部、７…ロック金具、８…パワーグッド信号、９…強制解除スイッチ。
【図１】
2009169876.tif 000003
【図２】
2009169876.tif 000004